(57)【要約】      （修正有）【課題】モデルガンに付属部品を取り付けないで、火薬の発火音を消して、より小音にすることができる撃針部を提供する。【解決手段】火薬が発火すると火薬圧により薬莢１９の弾頭１の広がった空間３５に入り、直径が弾頭１の孔の直径より大きい円筒部８と、火薬を押圧し、火薬を発火させる針部１０と、円筒部８と針部との間に固定され、外周が薬莢１９のケース２の内面に密着するＯリング９とを有する撃針部であって、円筒部８は筒状に形成され、火薬が発火するとＯリング９がケース２の内面の穴を塞ぐ。【選択図】図１１
0003174679.tif 000002
【実用新案登録請求の範囲】
【請求項１】
火薬が発火すると火薬圧により薬莢の弾頭の広がった空間に入り、直径が弾頭の孔の直径より大きい円筒部と、
火薬を押圧し、火薬を発火させる針部と、
前記円筒部と前記針部との間に固定され、外周が薬莢のケースの内面に密着するリング部と、
を有する撃針部であって、
前記円筒部は筒状に形成され、火薬が発火すると前記リング部が前記ケースの内面の穴を塞ぐことを特徴とする撃針部。
【請求項２】
前記リング部は、火薬が発火すると前記ケースの内面の穴に密着した状態で該穴を塞ぐことを特徴とする請求項１記載の撃針部。
【請求項３】
請求項１または２記載の撃針部を備えることを特徴とするブローバックモデルガン。
【考案の詳細な説明】
【技術分野】
【０００１】
本考案はブローバックモデルガンの薬莢内に設置された撃針部およびブローバックモデルガンに関する。
【背景技術】
【０００２】
従来から、マガジン内に装填された薬莢を、火薬の爆発力により順次自動的に銃身内へと給弾させることで連発を可能とするブローバック作動方式のモデルガンが知られている。このモデルガンは、薬莢内の火薬を撃針部（インナ）で発火させて、その時生まれる爆発力を利用して薬莢を移動させる。
【０００３】
図１７（ａ）は、従来の撃針部６１の正面図であり、図１７（ｂ）は撃針部６１の側面図である。図１８は、撃針部６１が薬莢６２に挿入された図である。
【０００４】
図１８（ａ）に示すように、モデルガンのトリガを引くことで、ハンマの打撃により、下ピン６３がプライマ６４を押し、火薬が入った火薬キャップ６５が押される。撃針部６１は銃身に固定されているデトネ−タ６６で押さえられているので、撃針部６１の先端で火薬が発火される。
【０００５】
図１８（ｂ）に示すように、火薬圧で、薬莢６２は移動し、撃針部６１は薬莢６２の弾頭の内面斜面に当たって止まっているが、外周に切られた４本の溝６１ａから、薬莢６２の弾頭の正面に空いた孔を通って、撃発音は外に流れ出る。火薬を撃発させた時の発火音は、銃声と呼ばれる実弾音には遠く及ばないが、遊ぶ側にイメージとしての音がある程度必要とされている。
【０００６】
しかし、住宅事情の関係、アパートの一部屋、隣室、隣近所等からの音に関する苦情が、問題になっていた。
【０００７】
特許文献１には、発火音を消して、より小音にすることができるようにするため、玩具銃に延長用銃身を消音器として取り付けることが開示されている。
【先行技術文献】
【特許文献】
【０００８】
【特許文献１】特開２００３−３０２１９５号公報
【考案の概要】
【考案が解決しようとする課題】
【０００９】
しかし、特許文献１に開示された発明は、玩具銃に延長用銃身を消音器として取り付けることが意匠的に不自然であり、付属部品が増えてしまうという問題があった。
【００１０】
したがって、本考案の目的は、上記のような問題点を解決するために、モデルガンに付属部品を取り付けないで、火薬の発火音を消して、より小音にすることができる撃針部を提供することにある。
【課題を解決するための手段】
【００１１】
かかる目的を達成するために、本考案は、以下の特徴を有することとする。
【００１２】
本考案に係るモデルガンは、火薬が発火すると火薬圧により薬莢の弾頭の広がった空間に入り、直径が弾頭の孔の直径より大きい円筒部と、火薬を押圧し、火薬を発火させる針部と、前記円筒部と前記針部との間に固定され、外周が薬莢のケースの内面に密着するリング部とを有する撃針部であって、前記円筒部は筒状に形成され、火薬が発火すると前記リング部が前記ケースの内面の穴を塞ぐことを特徴とする。
【考案の効果】
【００１３】
本考案によれば、モデルガンに付属部品を取り付けないで、火薬の発火音を消して、より小音にする撃針部の提供が可能となる。
【図面の簡単な説明】
【００１４】
【図１】本実施形態に係るカートリッジの概略図である。
【図２】本実施形態に係る撃針部の概略図である。
【図３】本実施形態に係る撃針部がカートリッジに挿入された図である。
【図４】カートリッジ内部に撃針部を押し込む様子を示した図である。
【図５】マガジンをフレームに設置した様子を示した図である。
【図６】スライドを後方へ摺動させた時の様子を示した図である。
【図７】薬莢の薬莢口がデトネータの突起部突先に被さる瞬間を示した図である。
【図８】デトネータに薬莢が給弾された状態を示した図である。
【図９】ハンマが回動し、下ピンの下端部を打突する状態を示した図である。
【図１０】ハンマが下ピンの下端部を打突する時のモデルガン上部の拡大図である。
【図１１】火薬が発火した時の薬莢の拡大図である。
【図１２】薬莢とブリーチの移動の様子を示したモデルガン上部の要部拡大図である。
【図１３】薬莢とブリーチの移動の様子を示したモデルガン上部の要部拡大図である。
【図１４】薬莢とブリーチの移動の様子を示したモデルガン上部の要部拡大図である。
【図１５】薬莢とブリーチの移動の様子を示したモデルガン上部の要部拡大図である。
【図１６】火薬の火薬圧によりスライドが後方に摺動された状態を示した図である。
【図１７】従来の撃針部の概略図である。
【図１８】従来の撃針部が薬莢に挿入された図である。
【考案を実施するための形態】
【００１５】
以下、本考案による一実施形態について図面を参照して詳しく説明する。
【００１６】
図１（ａ）は本実施形態に係るカートリッジの断面図であり、図１（ｂ）はカートリッジの斜視図である。
【００１７】
弾頭１とケース２は、螺合部４で螺合されている。本実施形態では、弾頭１の素材は真鍮であり、ケース２の素材はアルミニウムであるため、同種の金属等で成形されている場合に比べ、締結力が強く、螺合部４は緩みにくくなっている。
【００１８】
また、双方共に真鍮で成形されている場合に比べ、薬莢の重心位置が弾頭側にずれるため、排莢時において薬莢はより大きく回転し、実弾に近い飛翔経路をたどる。カートリッジ３の重量がエンプティケースとほぼ同じ重さであることもかかる飛翔経路の一因となっている。
【００１９】
図２（ａ）は、本実施形態に係る撃針部５の正面図であり、図２（ｂ）は撃針部５の側面図である。図３は、撃針部５がカートリッジ３に挿入された図である。
【００２０】
撃針部５は、デトネ−タ６の先端が接触する凹部７が形成された円筒状の円筒部８と、火薬を押圧し、火薬を発火させる針部１０と、円筒部８と針部１０との間に固定され、カートリッジ３の内面に密着するＯリング９とを備えている。
【００２１】
ケース２には、撃針部５と火薬１１が入った火薬キャップ１２とプライマ１３が設置される。弾頭１の孔からデトネータ６が挿入され、デトネータ６の先端は撃針部５の円筒部８の凹部７に接する。
【００２２】
図４（ａ）は、専用品のローダ１４により、カートリッジ内部に撃針部５を押し込む様子を示した図である。
【００２３】
ユーザは、予めケース２の内部にプライマ１３を挿入し、ケース底口１５に嵌合させ、その上方に火薬１１のつまった火薬キャップ１２を定置する。さらに、撃針部５をケース２の内部に挿入する。
【００２４】
撃針部５は、カートリッジ３の内面に密着するＯリング９を備えるため、挿入時にはある程度の押圧力を要し、ローダ１４なしでは火薬１１の上方に定置することは困難である。ローダ１４は、撃針部５が火薬に触れて発火するおそれを回避するためのセフティチューブ１６を取り付けて使用する。なお、本実施形態ではＯリング９はゴム製である。
【００２５】
撃針部５の背面をローダ１４によりケース２の内部に押し込み定置させた後、ケース２に弾頭１を螺合させた状態が図４（ｂ）である。以下、この状態を薬莢とする。
【００２６】
カートリッジ３の内面に対するＯリング９の密着性によりスペース１７は密閉されるため、火薬の発火ガスの外部への放出は抑制される。また、Ｏリング９には、撃針部５等のカートリッジ３内部での摺動を抑制する効果がある。
【００２７】
図５は、マガジン１８に複数の薬莢１９を装填し、マガジン１８をフレーム２０に設置した様子を示した図である。
【００２８】
マガジン１８の内部はマガジンスプリング２１で支持されたマガジンフォロア２２が弾性的に上方へ付勢された構成となっている。マガジンスプリング２１上方のマガジンフォロア２２には一定の傾斜が設けられているが、この傾斜はユーザによるスライド２３の摺動後やブローバック後のスライド２３復元時に、薬莢１９の薬莢口をデトネータ６の突起部にすっぽり被せるためのものである。
【００２９】
デトネータ６は、銃身（バレル）２４後部のチャンバ２５内に備わっている。スライド２３後部の砲底面２６後方には、ハンマ２７の衝撃力を受けて前方へ摺動する下ピン２８が備わっている。
【００３０】
図６は、ユーザがブローバックモデルガンのスライド２３を後方へ摺動させた時の様子を示した図である。ハンマ２７は、スライド２３の後部に押圧され、軸２９を中心に後方へと回動し、スライド２３の摺動の妨げとならない位置に固定される。
【００３１】
ユーザがスライド２３から手を放すか、あるいは力を緩めることで、スライド２３はレコイルスプリング３０の弾性力により前方へと押し戻される。その過程において、砲底面２６の砲底面下端部３１は、薬莢１９の薬莢底上部３２に当接し押圧するため、薬莢１９はそのまま上方斜め前方へと押し出される。
【００３２】
図７は、レコイルスプリング３０の弾性力によりスライド２３が前方へ押し戻される過程において、薬莢１９の薬莢口がデトネータ６の突起部突先に被さる瞬間を示した図である。
【００３３】
本実施形態では、デトネータ６の突起部は断面が略真円であり、先端に行くほど縮径している。デトネータ６の突起部先端は、円滑な給弾を実現するために細く加工されている。デトネータ６の突起部の側面には、薬莢１９のスムーズな給弾のために滑らかな加工が施されている。
【００３４】
図８は、デトネータ６に薬莢１９が給弾された状態を示した図である。薬莢１９は、図５〜８に示した一連の流れによりチャンバ２５に勢いよく給弾される。
【００３５】
ここで、本実施形態に係るブローバックモデルガンのブローバック作動方式について説明する。
【００３６】
ブローバックモデルガンでは、薬莢内の火薬の発火ガスを動力としてスライドを後方に摺動させ、薬莢を排莢口から排莢し、その後レコイルスプリングの弾性力によりスライドが前方へと摺動される。その際にマガジン内の次の薬莢を銃身内に自動給弾させるため連発が可能となっている。
【００３７】
図８は上述した通り、ユーザによるスライド２３の後方への摺動により、チャンバ２５内に薬莢１９が給弾された状態である。
【００３８】
ユーザがトリガ３３を引くと、軸２９を中心にハンマ２７が勢いよく回動し、図９に示すように、下ピン２８の下端部を打突する。かかる打突の衝撃力は、下ピン２８の前方への摺動によりプライマ１３に伝達される。
【００３９】
図１０はハンマ２７が下ピン２８の下端部を打突する時のモデルガン上部の拡大図である。図１１は、火薬が発火した時の薬莢１９の拡大図である。スライド２３にバレルリンク３４がスライドストップの軸によって位置決めされ、バレルリンク３４は、ピンによって銃身２４に固定されている。
【００４０】
固定されている銃身２４のマガジン内には、火薬キャップ１２に火薬１１が詰まった薬莢１９が装填され、ハンマ２７は軸２９を中心に後方へと回動し、スライド２３の摺動の妨げとならない位置に固定されると撃発可能の状態となる。ハンマ２７が落とされ、激しく打たれた下ピン２８は、瞬時に飛び出し、図１１（ａ）に示すように、薬莢１９のケース２の後部に収まるプライマ１３を押す。プライマ１３に押されて火薬キャップ１２も移動し、移動した先には、銃身２４内に固定されたデトネータ６の先端に位置する撃針部５がある。火薬１１は撃針部５の針部１０に衝突し、火薬が発火する。
【００４１】
図１１（ｂ）に示すように、火薬が発火した瞬間、火薬圧が発生し、高まった火薬圧は火薬キャップ１２を押し戻し、なお且つ撃針部５を押すことになる。撃針部５には、ゴムのＯリング９が埋まっており、これがケース２の内面との隙間を埋めて、火薬圧を受け止めている。
【００４２】
撃針部５の円筒部８の直径が弾頭１の孔の直径より大きいので、弾頭１の内面斜面に円筒部８の外角面が当たり、ケース２の内面を移動してきたＯリング９が、広がった空間３５に出ることができず、火薬が発火した音が抜け出ることもなく消えた状態となる。しかしながら、慣性を生み出す移動量は変わらず、作動状態は従来の撃針部を使用した時と同じである。
【００４３】
なお、Ｏリング９が広がった空間３５に出ることができるようにし、多少音が抜けるようにしても消音効果を発揮することができる。
【００４４】
撃針部５は、動かない銃身２４に固定されたデトネータ６に接しているので、薬莢１９は動けず、火薬圧は火薬キャップ１２を押し続ける。火薬キャップ１２はプライマ１３を押し、プライマ１３の斜面で接している薬莢１９を形作っているケース２を押すことになる。図１２に示すように、薬莢１９は、スライド２３のブリーチ３６を押すことにより、ハンマ２７は軸２９を中心に後方へと回動していくことになる。
【００４５】
図１３に示すように、撃針部５を押していた火薬圧は無くなり、火薬圧を受け止めていたデトネータ６とそれを固定している銃身２４も自由になり、スライド２３にスライドストップの軸で位置決めされているバレルリンク３４が、ロックスプリング３７圧によって扇形に回転し、ピンで繋がった銃身２４も動いている薬莢１９を追うように後退する。
【００４６】
図１４に示すように、火薬圧が無くなっても、慣性によって動き続ける薬莢１９の弾頭１には、撃針部５が弾頭１の孔から抜けることなく、引っかかっている状態である。やがて薬莢１９はエジェクタ３８に到達する。
【００４７】
図１５に示すように、慣性は大きな力となってブリーチ３６を含むスライド２３を移動させ、スライド２３の下部のプラグ３９内に収まっているレコイルスプリング３０も圧縮しながら後退する。
【００４８】
図１６は、火薬の火薬圧によりスライドが後方に摺動された状態を示した図である。火薬の発火による火薬圧は、スライド２３を後方に摺動させた後、排莢口４０から薬莢１９を排莢させる。
【００４９】
本実施形態に係る薬莢１９は、真鍮製の弾頭とアルミ製のケースで構成されているため、重心のずれによりトルクが大きくなり、薬莢１９は大きく回転しながら排莢される。これにより、視覚的にも実弾に近い使用感を味わうことができる。
【００５０】
薬莢１９の排莢後、スライド２３がレコイルスプリング３０の弾性力により前方へと押し戻される際、砲底面下端部３１は、次弾である薬莢４１の薬莢底上部４２を押圧し、薬莢４１はそのまま上方斜め前方へと押し出され、チャンバ２５内に給弾される。
【００５１】
以上より、本実施形態に係る撃針部５によれば、モデルガンに付属部品を取り付けないで、火薬の発火音を消して、より小音にすることができる。
【００５２】
以上、本考案に関して実施形態を説明したが、必ずこれらに限定するものではなく、本考案の技術的思想の範疇内で、種々の修正及び変形実施が可能である。
【符号の説明】
【００５３】
１    弾頭
２    ケース
３    カートリッジ
５    撃針部
６    デトネータ
７    凹部
８    円筒部
９    Ｏリング
１０    針部
１１    火薬
１２    火薬キャップ
１３    プライマ
１９    薬莢
２８    下ピン
３５    空間
【図１】
0003174679.tif 000003
【図２】
0003174679.tif 000004
【図３】
0003174679.tif 000005
【図４】
0003174679.tif 000006
【図５】
0003174679.tif 000007
【図６】
0003174679.tif 000008
【図７】
0003174679.tif 000009
【図８】
0003174679.tif 000010
【図９】
0003174679.tif 000011
【図１０】
0003174679.tif 000012
【図１１】
0003174679.tif 000013
【図１２】
0003174679.tif 000014
【図１３】
0003174679.tif 000015
【図１４】
0003174679.tif 000016
【図１５】
0003174679.tif 000017
【図１６】
0003174679.tif 000018
【図１７】
0003174679.tif 000019
【図１８】
0003174679.tif 000020